(57)【特許請求の範囲】
【請求項１】
一定間隔で植立されて、カーテンの襞を揃えて保持する複数のガイドを有し、支柱に沿って昇降するカーテン保持手段、および一定間隔で植立された複数のガイドを有し、前記支柱の下方に設けられた整反手段を有する整反機と、
該整反機の下方に縦方向に配置されて、整反されたカーテンを結束するカーテン結束機とを具備することを特徴とするカーテン整反・結束機。
【請求項２】
カーテン保持手段と整反機とが相対的に移動可能であることを特徴とする請求項１に記載のカーテン整反・結束機。
【請求項３】
前記結束機に、前記カーテンに作用するテープの締付力を緩和するための結束ガイドを設けたことを特徴とする請求項１に記載のカーテン整反・結束機。
【請求項４】
前記結束ガイドが、前記カーテンと共にテープで結束され、結束後に、前記結束ガイドを、結束したテープの輪の中から外すことを特徴とする請求項３に記載のカーテン整反・結束機。
【請求項５】
前記結束ガイドが、前記結束機の結束面とカーテンとの間に隙間を形成することを特徴とする請求項３に記載のカーテン整反・結束機。
【発明の詳細な説明】
【０００１】
【発明の属する技術分野】
本発明は、縫製が完了したカーテンの襞を揃えて畳む整反機と、整反したカーテンに紐掛けを行なうカーテン結束機とを縦方向に配置したカーテン整反・結束機に関し、特に、作業の効率化を図るものである。
【０００２】
【従来の技術】
縫製が完了したカーテンは、きちんと襞を揃えて整反し、紐を掛けて軽く縛り、袋に入れて出荷する。従来、この整反作業を行なうために、図１０（ａ）に示すように、テーブルの上にカーテンを広げて、一人がカーテンの天、もう一人が裾を持ち、カーテンの襞が崩れないように、襞を揃えて畳んでいる。また、整反が済むと、図１０（ｂ）に示すように、カーテンの天、裾及び中央の３箇所を柔らかい紐を用いて手作業で縛っている。このとき、強く縛り過ぎると、カーテンの襞が崩れてしまい、また、緩すぎると、紐がカーテンから外れてしまう。
【０００３】
カーテンの出荷梱包は最終工程で急ぐ作業であるが、こうした方法できちんと整反し、紐掛けを行なうには、二人の人手と多くの時間を必要とする。
【０００４】
本出願人は、カーテンの整反作業を一人で行なうことを可能にする整反機を既に開発している。この整反機は、図８（ａ）に示すように、昇降が可能なフック保持部61と、上下に移動して、フック保持部61に保持されたカーテンを整反する整反部62とを具備している。
【０００５】
フック保持部61には、図８（ｂ）に拡大して示すように、複数の整反用フック64が下方に向けて植立され、整反用フック64の先には、カーテン68のフック69が差し込まれるパイプ63が固着されている。
【０００６】
また、整反部62は、手前側の回動板67と、奥側の固定板66とから成り、回動板67は一対の腕70の一端に固定され、腕70の他端を中心に回動することができる。また、回動板67及び固定板66のそれぞれには、複数の仕切り65が向き合って植立されている。この仕切り65は、回動板67を回動して固定板66に接近させたとき、図８（ｃ）に示すように、相互の間に入り込み、噛合状態となる。
【０００７】
この機械を用いてカーテンの整反を行なう場合には、先ず、図８（ａ）の位置まで、フック保持部61を降下させ、整反部62を上昇させる。次いで、整反部62の回動板67を固定板66との間隔が広がる位置に回動して、回動板67と固定板66との間にカーテン68を通し、このカーテン68のフック69をフック保持部61のパイプ63の穴に差し込み、フック保持部61にカーテン68を固定する。
【０００８】
次いで、回動板67を固定板66の方向に回動して、回動板67と固定板66との仕切り65を、カーテン68を間に挟んで噛合させる。このとき、カーテン68は、仕切り65によって、襞に合わせたウエーブが付けられる。
【０００９】
この状態で、モータ71を起動して、フック保持部61と整反部62を上昇させ、次いで、整反部62だけを降下させる。このとき、カーテン68は、フック保持部61と共に上昇し、整反部62の下降時に仕切り65の間でしごかれる。その結果、カーテン68には揃った襞が形成され、整反される。
【００１０】
このカーテンに紐掛けを行なう場合は、図９に示すように、整反部62がカーテン68の半分より下まで移動したときに、整反が済んだカーテン68の中央部を紐で縛り、整反部62がカーテン68の下端まで移動したときに、カーテン68の下端を紐で縛る。次いで、カーテン68のフック69をフック保持部61のパイプ63から外して、カーテン68をフック保持部61から降ろし、カーテン68の上端を紐で縛る。この紐で縛る作業は全て手作業で行なわれる。
【００１１】
【発明が解決しようとする課題】
しかし、この整反機では、カーテンを装着する場合に、カーテン68のフック69をフック保持部61のパイプ63に係合しているため、その作業に多くの時間が掛かる。
【００１２】
また、整反したカーテンに対する紐掛けは、全て人手に頼っているため、作業効率が悪い。
【００１３】
紐で縛る作業を自動化する装置としては、図１１に示す結束機が知られている。この装置は、装置本体の上面に、結束しようとする物94を載せる結束台91が在り、この結束台91上に、テープ93の先端をガイドするガイド部92がアーチ状に設けられている。リールから引き出されたテープ93の先端は、装置本体を通り、ガイド部92に沿ってガイドされた後、再び装置本体に引き込まれている。そのため、テープは輪を形成している。
【００１４】
ガイド部92のアーチを潜らせて、結束台91の中央に結束物94を載せ、スタートスイッチ95を押すと、テープ93の先端は固定されたまま、テープ93の他方が強く引っ張られる。その結果、ガイド部92にガイドされていたテープ93は、ガイド部92から外れて結束物94の周囲に巻き付く。この状態で、装置本体内において、テープ93の先端が、結束物94を一周してこの先端と重なるテープ部分に熱融着され、テープによる結束状態が固定される。その後、テープの熱融着箇所の先が切断され、新たなテープの先端がガイド部92にガイドされて引き回され、テープは輪を形成して、次の結束を待つ状態になる。結束時のテープによる締付力は、引締力調節ボリューム96により調整することができる。
【００１５】
しかし、この結束機は、これまでカーテンの紐掛けには使用されていない。これは、整反したカーテンを、襞を揃えた状態で結束機の結束位置まで運ぶ作業が大変であること、結束機によるテープの締め付け力を、カーテンの襞が潰れないように調整することが難しいことなどによる。
【００１６】
本発明は、こうした従来の問題点を解決するものであり、良好な作業性を有するカーテン整反機と、このカーテン整反機と連動して、カーテンの紐掛けを簡単に行なうことができるカーテン結束機とを縦方向に配置したカーテン整反・結束機を提供することを目的としている。
【００１７】
【課題を解決するための手段】
本発明のカーテン整反・結束機は、一定間隔で植立されて、カーテンの襞を揃えて保持する複数のガイドを有し、支柱に沿って昇降するカーテン保持手段、および一定間隔で植立された複数のガイドを有し、前記支柱の下方に設けられた整反手段を有する整反機と、この整反機の下方に縦方向に配置されて、整反されたカーテンを結束するカーテン結束機とにより構成される。
【００２０】
【発明の実施の形態】
以下、本発明の実施の形態について、図面を用いて説明する。
【００２１】
（第１の実施の形態）
第１の実施の形態では、カーテンの整反と紐掛けとを併せて行なう整反・結束機について説明する。
【００２２】
この装置は、図１（斜視図）、図２（正面図）、図３（側面図）及び図４（上面図）に示すように、支柱13に沿って昇降するカーテン保持部11と、支柱13に固定されたカーテン整反部12と、カーテン保持部11の駆動源であるモータ14と、カーテン保持部11の移動範囲を規定する一対のリミットスイッチ17と、カーテン整反部12の下方に配置された結束機15と、結束機15にソフトテープを供給するリール16と、この装置の動作を制御する制御ボックス23とを備えている。
【００２３】
カーテン保持部11及びカーテン整反部12のそれぞれには、複数の“コ”の字状のガイド18、19が植設されており、この複数のガイドの間隙にカーテン20の襞が挿入される。
【００２４】
結束機15は、従来と同じ構造の装置を、結束台22が前方を向き、ガイド部21のアーチ面が水平になるように取り付けている。
【００２５】
この装置では、先ず、モータ14を駆動して、カーテン保持部11を降下させる。カーテン保持部11は、下側のリミットスイッチ17に触れるまで降下し、触れた時点で停止する。この状態で、カーテン保持部11のコ字状ガイド18の間に、カーテン20の天における襞を畳んで差し込み、また、支柱13に固定されているカーテン整反部12のコ字状ガイド19の間にも、カーテン20の襞を差し込む。さらに、カーテン20の裾は、結束機15のガイド部21のアーチの中を通す（なお、アーチには後で通すようにしてもよい）。
【００２６】
カーテンの天は、生地が折返され、厚く形成されているうえ、襞の縫い代があり、カーテンに下方の力が加わっても、カーテン保持部11から抜け落ちることはない。
【００２７】
次に、モータ14を駆動してカーテン保持部11を上昇させる。カーテン保持部11は、カーテンの裾が整反部12に来た所で、モータ14制御用のフットスイッチ（不図示）を離して止める。
【００２８】
この間、カーテン20は、カーテン保持部11と共に上昇し、この上昇の過程で、カーテン整反部12のコ字状ガイド19の間でしごかれ、襞が揃い、整反される。また、整反部を用いずに、カーテン保持部11を上昇させて、カーテンの裾を手で持って整反してもよい。
【００２９】
整反したカーテンに紐掛けをする場合は、カーテン20の裾付近が結束機15のガイド部21のアーチ内に臨むようにカーテン保持部11を上下させ、結束機15のテープ締付力を弱くし（１．０ｋｇ程度）、図５に示すように、襞が潰れないように、手でカーテンをガイドしながら、結束機15を起動する。結束機15は約３秒で結束を完了する。
【００３０】
次に、カーテン保持部11をさらに降下させ、カーテンの中央付近を結束機15のガイド部21のアーチ内に位置させて、同じように結束を行なう。最後に、カーテンをカーテン保持部11から抜き取り、天の付近を結束機15で結束して紐掛け作業を終了する。
【００３１】
この装置では、カーテンの襞をカーテン保持部11のコ字状ガイド18の間に差し込むだけでカーテンの装着ができ、また、外すときは、カーテンを手前の方に引っ張るだけで抜き取ることができる。そのため、従来の整反機に比べて、カーテンの装着及び取外し作業が極めて簡単である。このとき、カーテンの襞の一つ一つを別々のコ字状ガイド18の間隙に分けて差し込むことは必ずしも必要でなく、一つのコ字状ガイド18の間隙に複数の襞を差し込んでも差し支えない。
【００３２】
また、この装置では、整反機構の下方に結束機を配置しているため、整反が済んだカーテンを結束機の位置まで降下させるだけで、結束機による効率的な結束を行なうことができる。
【００３３】
なお、この実施の形態では、新たな構成の整反機と結束機との組み合わせについて説明したが、従来の整反機（図８）と結束機とを組み合わせて、従来の整反機の下方に結束機を配置することも可能である。
【００３５】
（第２の実施の形態）
第２の実施の形態では、結束機のテープ締付力を緩和するための構成について説明する。
【００３６】
整反が済んだカーテンに第１の実施の形態の結束機で紐掛けを行なう場合、結束機の引締力調整ボリュームを操作してテープ締付力を調整することができる。しかし、実際には、このボリュームだけでカーテンの襞が潰れないように締付力を調整することは難しく、締付力が強すぎて襞が潰れたり、締付力が弱すぎて、結束したテープがカーテンから外れたりすることが時々発生する。
【００３７】
そこで、第２の実施の形態の装置では、この結束機に、図６（ａ）に示すように、テープの締まり過ぎを防ぐための一対の結束ガイド41を設けている。この結束ガイド41は、“９”の字に似た形状を有し、幅が狭い足の部分が軸42に固定されている。また、軸42は、結束機のガイド部44の近くに設置された軸受43の孔に挿通されている。そのため、結束ガイド41は、軸42と共に水平方向に移動することができ、また、軸42を中心に回転することができる。結束ガイド41を結束機のガイド部44の方向に回転すると、結束ガイド41の“９”の字の円形部分がガイド部44のアーチ内に臨む位置に来る。また、結束ガイド41を反対方向に回転すると、この円形部分は、ガイド部44のアーチから退避する。
【００３８】
カーテンの結束時には、一対の結束ガイド41を、整反されたカーテン45の両側に添わせると共に、結束ガイド41を回転して、その円形部分をガイド部44のアーチ内に臨ませる。この状態で結束機により結束を行なうと、図６（ｂ）に示すように、テープは、カーテン45と結束ガイド41とを合わせて結束する。結束ガイド41は、この結束の際に、テープがカーテンに及ぼす衝撃を和らげる。
【００３９】
結束を終えた後、結束ガイド41を反対方向に回転して、結束したテープの輪の中から結束ガイド41を抜き取る。また、このとき、カーテンを下方に移動させることによって、結束したテープの輪の中から結束ガイド41を外すようにしてもよい。
【００４０】
こうすることにより、結束したテープの輪の中に余裕ができ、テープによる締まり過ぎを防ぐことができる。
【００４１】
なお、結束ガイド41は、その他の形状に構成することもできる。また、結束ガイド41は、一対で無く、片側だけに設けてもよい。
【００４２】
図７（ａ）には、棒状の結束ガイド46を、結束機のガイド部44のアーチから外れた位置に配置する例を示している。結束時には、整反したカーテン45を、この結束ガイド46を介して、結束機の結束台上に配置する。従って、カーテン45は、結束ガイド46の厚さだけ結束台から浮いた状態でテープによる結束が行なわれるので、テープによる締め過ぎが回避できる。
【００４３】
また、図７（ｂ）には、一方の面に空隙を設けた板状の結束ガイド47を示している。この結束ガイド47は、空隙を結束台側に向けて配置され、結束時には、その上のカーテン45と共に結束される。このとき、結束ガイド47は、テープによる衝撃を和らげる。また、結束ガイド47の空隙が、カーテンを結束台から浮かす作用をし、テープによる締め過ぎが緩和される。また、結束後、カーテンを下方に下げ、結束ガイド47を抜き取ることによって、結束したテープの輪の中に余裕を作ることができる。
【００４４】
このように、結束機に結束ガイドを設けることにより、整反したカーテンを、襞を潰すことなく、紐掛けすることができる。
【００４５】
【発明の効果】
以上の説明から明らかなように、本発明のカーテン整反・結束機は、カーテンの装着や取外しの作業を簡単に行なうことができる。
【００４６】
また、整反機の下方に結束機を配置したカーテン結束機は、整反されたカーテンを効率的に結束することができる。
【００４７】
また、この結束機に結束ガイドを設けた装置では、整反されたカーテンの襞を潰すことなく、結束することが可能となる。
【図面の簡単な説明】
【図１】第１の実施の形態におけるカーテン整反・結束機の斜視図、
【図２】第１の実施の形態におけるカーテン整反・結束機の正面図、
【図３】第１の実施の形態におけるカーテン整反・結束機の側面図、
【図４】第１の実施の形態におけるカーテン整反・結束機の上面図、
【図５】第１の実施の形態の結束機に対する結束操作を示す図、
【図６】第２の実施の形態における結束機の構成を示す斜視図（ａ）と上面図（ｂ）、
【図７】第２の実施の形態における結束機の他の構成を示す図、
【図８】従来の整反機の構成を示す図、
【図９】従来の整反機を用いて整反したカーテンの紐掛け手順を示す図、
【図１０】従来のカーテンの整反動作（ａ）とカーテンの紐掛け手順（ｂ）を示す図、
【図１１】従来の結束機の構成を示す斜視図である。
【符号の説明】
11  カーテン保持部
12  カーテン整反部
13  支柱
14  モータ
15  結束機
16  リール
17  リミットスイッチ
18、19  コ字状ガイド
20、45、68  カーテン
21、44、92  ガイド部
22、91  結束台
23  制御ボックス
41、46、47  結束ガイド
42  軸
43  軸受
61  フック保持部
62  整反部
63  パイプ
64  整反用フック
65  仕切り
66  固定板
67  回動板
69  フック
70  腕
93  テープ
94  結束物
95  スタートスイッチ
96  引締力調節ボリューム
【図１】
0003778389.tif 000002
【図２】
0003778389.tif 000003
【図３】
0003778389.tif 000004
【図４】
0003778389.tif 000005
【図５】
0003778389.tif 000006
【図６】
0003778389.tif 000007
【図７】
0003778389.tif 000008
【図８】
0003778389.tif 000009
【図９】
0003778389.tif 000010
【図１０】
0003778389.tif 000011
【図１１】
0003778389.tif 000012